(57)【要約】【課題】係止ロッドとの係合位置を調整できると共に、その調整量を長期間にわたって安定に保つことができる可動ストライクを提供する。【解決手段】中央部にストライク孔３を開口させると共に、その周辺に少なくとも一対のセットビス孔４、４を形成したストライク板１と、ローラー７を転動可能に担持した枠体であって、少なくとも一対の摺接片８、８を一体的に接続し、各摺接片８に見付け方向に延在する長穴９を開口させると共に、これらの長穴の間隔を上記ストライク板の一対のセットビス孔のそれと同一に設定したローラーベース６と、セットビス５と螺合する雌ねじ孔１３を開口させた固定板１２とを設け、摺接片に形成された第１セレーション１１と、固定板に形成された第２セレーション１４との噛み合わせを変えることによりローラーベース６の位置を調節する。【選択図】　図１
2004124508.tif 000002
【特許請求の範囲】
【請求項１】
扉枠の上辺又は下辺に装着される板状体であって、中央部にグレモン錠の係止ロッドの先端が挿通されるストライク孔を開口させると共に、見込み方向においてこのストライク孔を挟んで、その周辺に少なくとも一対のセットビス孔を形成したストライク板と、このストライク板の裏面側に配設され、見込み方向に延在するローラーを転動可能に担持した枠体であって、そのストライク板の裏面と接合する側に、見込み方向において対峙する少なくとも一対の摺接片を一体的に接続し、各摺接片に見付け方向に延在する長穴を開口させると共に、これらの長穴の間隔を上記ストライク板の一対のセットビス孔のそれと同一に設定したローラーベースと、ストライク板と共に摺接片を挟むようにしてこれと重合し、セットビスと螺合する雌ねじ孔を開口させた固定板と、摺接片に形成され、見付け方向に延在する第１セレーションと、固定板に形成され、見付け方向に延在して第１セレーションと噛み合い可能な第２セレーションとを有し、グレモン錠の係止ロッドと交差して係合するローラーの位置を第１及び第２セレーションの噛み合わせを変えることにより段階的に調整できるようにしたことを特徴とする可動ストライク。
【発明の詳細な説明】
【０００１】
【発明の属する技術分野】
この発明は、グレモン錠の可動ストライク（以下単に可動ストライクという）に係り、特に、グレモン錠の係止ロッドとの係合位置を調節できると共に、その調整量を長期間にわたって安定に保つことができる可動ストライクに関する。
【０００２】
【従来の技術】
グレモン錠とは、扉の自由側端縁部に沿って係止ロッドを設け、閉扉時ハンドル操作によって係止ロッドを上下方向に移動させ、その先端を扉枠の上辺及び／又は下辺に開口したロッド孔に係入させて扉を固定する錠装置である。
【０００３】
通常、上記係止ロッドの横断面形状は例えば円形であり、これに対応して扉枠に開口したロッド孔は係止ロッドの外径よりやや大きい程度の円形穴であって、その位置は通常固定されていて調節することはできない。
【０００４】
【発明が解決しようとする課題】
上記した従来のグレモン錠のストライク（係止ロッドの受け、この場合はロッド孔を開口させた部材）は、構造が簡単であって、ガタ無く扉を錠止できるが、長期間の使用の結果、例えば扉面が歪んだりして係止ロッドとロッド孔の位置が少しでも狂うと、閉扉時における係止ロッドのストライクへの投入が円滑でなくなる、という不都合がある。
【０００５】
一方、従来提案されているデッドボルト或いはラッチボルト係止用のストライクであって、これらのボルトとの係合位置を調節できる可動ストライクは、通常、部材の摩擦係合を利用しているので、調整量を長期間安定に保つことができず再調整を繰り返さなくてはならないが、その再調整は扉枠の例えば上辺においては困難である。
【０００６】
そこで、この発明は、係止ロッドとの係合位置を調整できると共に、その調整量を長期間にわたって安定に保つことができる可動ストライクを提供することを目的としている。
【０００７】
【課題を解決するための手段】
上記の目的を達成するため、この発明は、扉枠の上辺又は下辺に装着される板状体であって、中央部にグレモン錠の係止ロッドの先端が挿通されるストライク孔を開口させると共に、見込み方向においてこのストライク孔を挟んで、その周辺に少なくとも一対のセットビス孔を形成したストライク板と、このストライク板の裏面側に配設され、見込み方向に延在するローラーを転動可能に担持した枠体であって、そのストライク板の裏面と接合する側に、見込み方向において対峙する少なくとも一対の摺接片を一体的に接続し、各摺接片に見付け方向に延在する長穴を開口させると共に、これらの長穴の間隔を上記ストライク板の一対のセットビス孔のそれと同一に設定したローラーベースと、ストライク板と共に摺接片を挟むようにしてこれと重合し、セットビスと螺合する雌ねじ孔を開口させた固定板と、摺接片に形成され、見付け方向に延在する第１セレーションと、固定板に形成され、見付け方向に延在して第１セレーションと噛み合い可能な第２セレーションとを有し、グレモン錠の係止ロッドと交差して係合するローラーの位置を第１及び第２セレーションの噛み合わせを変えることにより段階的に調整できるようにしたことを特徴とする。
【０００８】
【実施例】
以下、この発明の実施例を図面を参照して説明する。
図１において符号１はストライク板を示し、このストライク板１は全体の形状が矩形の板状体であって、その４隅には取付ねじ孔２、２が、中央部には図示しないグレモン錠の係止ロッドの先端が挿通されるストライク孔３が開口している。
【０００９】
そして、このストライク孔３の周辺には、見込み方向、すなわち扉の幅方向においてストライク孔３を挟むようにして、少なくとも一対のセットビス孔４、４が開口している。
【００１０】
なお、図示の実施例では、ストライクの取付ねじ（図示せず）及びセットビス５は何れも皿ビスであるものとする。
【００１１】
上記ストライク板１の裏面側（図１で下側）にはローラーベース６が配設されている。図示の実施例におけるローラーベース６は、ストライク板１に対する投影形状がコ字形になるように折曲された板材で、その開脚部を接続して剛性を高めるように、見込み方向に延在するローラー７が転動可能に担持されている。
【００１２】
また、ローラーベース６のストライク板１と接合する側の端縁の内、見込み方向において対峙する一対の端縁部が外側に折り曲げられて夫々全体の形状が矩形の摺接片８、８が一体的に形成されている。
【００１３】
各摺接片８には、見付け方向、すなわち扉の厚さ方向に延在する長穴９が開口しており、これらの長穴９、９の間隔は、上記セットビス孔４、４の間隔と同じになるように設定されている。
【００１４】
また、各摺接片８の外側縁には、長穴９と同様に見込み方向に延在する第１セレーション１１が形成されている。
【００１５】
更に、摺接片８に関してストライク板１と反対側、換言すれば、図１において摺接片８の下側には全体の形状が細長い矩形の固定板１２が配設されている。
【００１６】
この固定板１２の中央部には、前記セットビス５と螺合する雌ねじ孔１３が形成されている。
【００１７】
また、各固定板１２の外側縁部、すなわち、固定板のローラーベース６から遠い方の側端縁部は例えばプレス加工によりストライク板１側に突出するように塑性加工され、この突出部の前記第１セレーション１１と対向する側には、これと噛み合い可能な第２セレーション１４が形成されている。
【００１８】
なお、図１で符号１５は各固定板１２の内側縁に突設された規制片をしめし、この規制片１５は、この発明による可動ストライクが後述するように組み立てられた状態において、ローラーベース６の外側面と摺接して固定板１２の回転を規制するものであるが、この発明の必須の構成要件ではない。
【００１９】
上記のように構成されたストライク板１、ローラーベース６及び固定板１２は、図１に示す関係位置で、ストライク板１、摺接片の長穴９を挿通して固定板１２の雌ねじ孔１３と螺合するセットビス５により一体的に結合される。
【００２０】
この時、第１セレーション１１及び第２セレーション１４は同一エレベーションにあるので、相互に噛み合う。
【００２１】
そして、図２に示すように、例えば一面が開口した箱状のトロヨケ１６を被嵌させた状態で、例えば扉枠の上辺に取付ねじ１７、１７によって装着される。なお、このトロヨケの存在はこの発明の必須の構成要件ではない。
【００２２】
図２に示すようにこの発明による可動ストライクが扉枠に装着された状態において、グレモン錠を施錠方向に操作すると、係止ロッド１８が上昇し、ローラー７と交差するように係合してこれに係止される。
【００２３】
このとき、見付け方向における係止ロッド１８の位置が多少違っていても、ローラー７の断面形状と係止ロッドの間に生じる楔作用により、係止ロッド１８の位置が自動的に修正されるから、例えば気密扉などのようにパッキン材を押し縮めながら扉を締める場合は、その押し縮めはローラー７が自動的に行う。
【００２４】
また、ローラー７が係止ロッド１８から受ける反力は、ローラーベース６、摺接片８、第１及び第２セレーション１１、１４の噛み合い係合、及びセットビス５を介してストライク板１に担持される。
【００２５】
ローラー７の見付け方向の位置を調節するには、先ずセットビス５を弛め、それまでの第１及び第２セレーション１１、１４の噛み合わせを解いてから、ローラーベース６を見付け方向に移動させ、セレーションの１歯分ずつ段階的に調節した後、再びセットビス５を締め直して新しいセレーションの噛み合いを固定する。
【００２６】
上記ローラーベース６の位置調節は、ストライク板のストライク孔２に工具なり手指なりを挿入することにより、ストライク板を扉枠から外すことなく行うことができる。
【００２７】
【発明の効果】
以上の説明から明らかなように、この発明は、第１及び第２セレーションの噛み合いを介してローラーベースをストライク板に装着するようにしたので、ローラーベースの位置を調節できることは勿論、セレーションの歯の形状係合によってローラーベースの位置を固定するので、一度位置調整を行ったら長期間にわたってその調整量を保つことができる、という所期の効果を奏する。
【図面の簡単な説明】
【図１】この発明の一実施例による可動ストライクの構成を展開して示す斜視図。
【図２】その装着状態を示す一部断面側面図。
【符号の説明】
１　ストライク板
２　取付ねじ孔
３　ストライク孔
４　セットビス孔
５　セットビス
６　ローラーベース
７　ローラー
８　摺接片
９　長穴
１１　第１セレーション
１２　固定板
１３　雌ねじ孔
１４　第２セレーション
【図１】
2004124508.tif 000003
【図２】
2004124508.tif 000004